(57)【要約】【課題】長さ特定処理の実施中に第２コンタクトガラス１５５とＡＤＦとの間から光を漏らしてしまうことによるユーザーの不快感をより軽減する。【解決手段】長さ特定処理にて、ＬＥＤアレイ１５２ａにおける全てのＬＥＤ素子１５２ａ’のうち、第２コンタクトガラス１５５に載置される、Ａ５サイズ横姿勢、Ｂ５サイズ横姿勢、Ａ４サイズ横姿勢の原稿についてそれぞれ、主走査方向における一端部に対向する複数のＬＥＤ素子１５２ａ’のうち、１つだけを点灯させるようにした。これにより、サイズ判定に必要のないＬＥＤ素子１５２ａ’の無駄な点灯を回避することで、ユーザーの不快感をより軽減することができる。【選択図】図１０
2014179825.tif 000002
【特許請求の範囲】
【請求項１】
原稿を載置する原稿台と、前記原稿台の表面に沿った主走査方向に並ぶ複数の発光素子を具備する光源のそれぞれの発光素子から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、複数の前記発光素子のうち、一部の発光素子だけを点灯させた状態で前記画像センサーによって画像を読み取った結果に基づいて、点灯させた発光素子の付近における原稿の存否を判定し、判定結果に基づいて、前記載置台上に置かれた原稿の主走査方向の長さを特定する長さ特定処理を実施する制御手段とを有する原稿読取装置において、
前記長さ特定処理にて、前記光源における全ての前記発光素子のうち、前記原稿台に載置される定型サイズの原稿の主走査方向における一端部に対向する複数の発光素子における一部の発光素子だけを点灯させる処理を実施するように、前記制御手段を構成したことを特徴とする原稿読取装置。
【請求項２】
請求項１の原稿読取装置において、
前記長さ特定処理にて、原稿の主走査方向における一端部に対向する複数の発光素子における一部の発光素子だけを点灯させる処理を、前記原稿台上における主走査方向の長さが互いに異なる複数種類の定型サイズの原稿についてそれぞれ同時に実施するように、前記制御手段を構成したことを特徴とする原稿読取装置。
【請求項３】
請求項２の原稿読取装置において、
前記長さ特定処理にて、原稿の主走査方向における一端部に対向する複数の発光素子における一部の発光素子だけを点灯させる処理を前記複数種類の定型サイズの原稿についてそれぞれ同時に実施した後、前記一端部に対向する複数の発光素子における他の一部の発光素子だけを点灯させる処理を前記複数種類の定型サイズの原稿について同時に実施するように、前記制御手段を構成したことを特徴とする原稿読取装置。
【請求項４】
請求項２又は３の原稿読取装置において、
前記長さ特定処理にて、前記複数種類の定型サイズの原稿における何れにも対向しない発光素子だけを点灯させながら前記画像センサーによって画像を読み取った結果に基づいて、前記載置台上における原稿の姿勢の正否を判定する処理を実施するように、前記制御手段を構成したことを特徴とする原稿読取装置。
【請求項５】
原稿の画像を読み取る原稿読取装置と、前記原稿読取装置による画像の読取結果に基づいて記録部材に画像を形成する画像形成手段とを備える画像形成装置において、
前記原稿読取装置として、請求項１乃至４の何れかの原稿読取装置を用いたことを特徴とする画像形成装置。
【発明の詳細な説明】
【技術分野】
【０００１】
本発明は、原稿の画像を画像センサーに読み取らせる原稿読取装置及びこれを用いる画像形成装置に関するものである。
【背景技術】
【０００２】
従来、この種の原稿読取装置としては、特許文献１に記載のものが知られている。この原稿読取装置は、透明な原稿台に対して開閉動作可能な自動原稿給送ユニット（ＡＤＦ）を備えている。また、原稿台の表面に沿った主走査方向に並べられた複数のＬＥＤ素子を具備するＬＥＤアレイを搭載した走行体なども備えている。この走行体は、原稿台の上に載置された原稿の画像を光走査するために、原稿台の表面に沿った方向であり且つ主走査方向に直交する方向である副走査方向に移動できるようになっている。また、ＡＤＦは、操作者によって原稿台に対して閉じられることで、原稿台上の原稿を原稿台に向けて押さえ付ける。この状態で操作者によって読取開始命令がなされると、原稿読取装置は、移動照射部たる走行体の複数のＬＥＤ素子から発した光をそれぞれ原稿に向けて照射して原稿面での反射光を得ながら、走行体を副走査方向に移動させる。そして、得られた反射光を画像センサーに受光させて原稿の画像を読み取らせる。
【０００３】
図１８は、特許文献１の原稿読取装置における原稿の載置態様を説明するための平面模式図である。同図において、Ａ５、Ｂ５、Ａ４、Ｂ４、Ａ３という文字はそれぞれ原稿の平面サイズを示している。操作者は、どのような平面サイズの原稿であっても、図示のように、原稿の角を矩形状の原稿台の角に設けられた原稿基準位置に合わせる姿勢で原稿台上に載置する。以下、原稿台の表面上で長手方向を副走査方向に沿わせる原稿の姿勢を縦姿勢という。また、長手方向を主走査方向に沿わせる原稿の姿勢を横姿勢という。
【０００４】
図示しない走行体は、原稿台の直下においてＬＥＤアレイを原稿台表面に沿った主走査方向に延在させる姿勢で配設されている。そして、図示しない駆動手段により、副走査方向（図の左右方向）に往復移動するようになっている。この走行体に搭載されたＬＥＤアレイは、主走査方向に並ぶ複数のＬＥＤ素子を有しており、これらのＬＥＤ素子は、主走査方向に所定のピッチで区切られた７つのブロック（ブロックａ〜ブロックｇ）毎に電源の入切がなされるようになっている。例えば、ブロックａに存在する複数のＬＥＤ素子に対しては、他のブロックに存在する複数のＬＥＤ素子から独立して電源の入切がなされるようになっている。
【０００５】
原稿読取装置は、原稿台の上に置かれた原稿の主走査方向の長さを特定する長さ特定処理を実施する。まず、ブロックｄの位置にある複数のＬＥＤ素子だけを点灯させながら、画像センサーにおけるブロックｄに対応する受光素子の出力に基づいて、Ｂ５サイズ縦姿勢の原稿の主走査方向における一端部の位置について原稿の存否を判定する。次に、ブロックｅの位置にある複数のＬＥＤ素子だけを点灯させながら、画像センサーにおけるブロックｅに対応する受光素子の出力に基づいて、Ａ４サイズ縦姿勢の原稿の主走査方向における一端部の位置について原稿の存否を判定する。このようなＬＥＤアレイの部分点灯と原稿の存否の判定を順に繰り返していくことで、原稿台上に載置された原稿の主走査方向の長さを特定する。
【発明の概要】
【発明が解決しようとする課題】
【０００６】
かかる構成では、次に説明する理由により、長さ特定処理の実施時にＬＥＤアレイの光をユーザーの目に入れてしまうことによる不快感を軽減することができる。即ち、長さ特定処理において、ＡＤＦが完全に閉じられていると、原稿台の表面上における原稿の存在しない領域であっても、原稿を押さえているＡＤＦの表面がＬＥＤ素子の光を良好に反射させることから、その領域について原稿が存在しているものと誤判定されてしまう。このため、長さ特定処理については、例えば操作者がＡＤＦを閉じ始めてから完全に閉じる前までの期間など、ＡＤＦが完全に閉じられていない状態で行う必要がある。かかる状態では、ＬＥＤ光が原稿台とＡＤＦとの間から漏れてユーザーの目に入ってしまい易くなる。特許文献１に記載の原稿読取装置では、長さ特定処理でＬＥＤ素子をブロック毎に交代で順次点灯させていくことで、全てのＬＥＤ素子を同時に点灯させる場合に比べて光量を少なくする。これにより、原稿台とＡＤＦとの間から同時に漏れてしまう光の量を低減して、ユーザーの不快感を低減することができる。
【０００７】
しかしながら、原稿台とＡＤＦとの間から同時に漏れる光を完全に無くすことはできず、どうしても光を漏らしてしまうことから、多少なりともユーザーに不快感を与えてしまうことになる。
【０００８】
本発明は、以上の背景に鑑みてなされたものであり、その目的とするところは、次のような原稿読取装置や画像形成装置を提供することである。即ち、長さ特定処理の実施中に原稿台とＡＤＦ等の原稿押さえ手段との間から光を漏らしてしまうことによるユーザーの不快感をより軽減することができる原稿読取装置等である。
【課題を解決するための手段】
【０００９】
上記目的を達成するために、本発明は、原稿を載置する原稿台と、前記原稿台の表面に沿った主走査方向に並ぶ複数の発光素子を具備する光源のそれぞれの発光素子から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、複数の前記発光素子のうち、一部の発光素子だけを点灯させた状態で前記画像センサーによって画像を読み取った結果に基づいて、点灯させた発光素子の付近における原稿の存否を判定し、判定結果に基づいて、前記載置台上に置かれた原稿の主走査方向の長さを特定する長さ特定処理を実施する制御手段とを有する原稿読取装置において、前記長さ特定処理にて、前記光源における全ての前記発光素子のうち、前記原稿台に載置される定型サイズの原稿の主走査方向における一端部に対向する複数の発光素子における一部の発光素子だけを点灯させる処理を実施するように、前記制御手段を構成したことを特徴とするものである。
【発明の効果】
【００１０】
本発明においては、以下に説明する理由により、特許文献１に記載の原稿読取装置に比べて、長さ特定処理の実施中に原稿台とＡＤＦ等の原稿押さえ手段との間から光を漏らしてしまうことによるユーザーの不快感をより軽減することができる。即ち、図１８において、ブロックｅは、主走査方向においてＡ４サイズ縦姿勢の原稿の主走査方向における一端の位置（以下、原稿境界位置という）を跨いでいる。Ａ４サイズ縦姿勢の原稿の主走査方向における一端部は原稿境界位置よりもブロックｄ側に存在している。Ａ４サイズ縦姿勢の原稿の一端部の位置における原稿の存否を判定するには、ブロックｅの全域のうち、ブロックｄ側の領域に存在するＬＥＤ素子だけを点灯させればよい。にもかかわらず、ブロックｄ側の領域に存在するＬＥＤ素子に加えて、ブロックｆ側の領域に存在するＬＥＤ素子も点灯させていた。この結果、長さ特定処理の実施中に原稿台とＡＤＦとの間から同時に漏らしてしまう光の量を不要に増加させている。また、ブロックｄ側の領域についても、原稿の存否を判定する上では、原稿境界位置の付近に存在するＬＥＤ素子だけを点灯させれば足りるにもかかわらず、原稿の一端から比較的離れた位置にあるＬＥＤ素子も点灯させている。このことも、光の漏れ量を不要に増加させる要因になっていた。
【００１１】
一方、本発明では、長さ特定処理において定型サイズの原稿の主走査方向における一端部に対向する発光素子だけを点灯させ、一端部に対向しない発光素子の不要な点灯を行わない。しかも、原稿の主走査方向における一端部に対向する複数の発光素子の中でも、一部の発光素子だけを点灯させることで、発光素子の不要な点灯をほぼ解消することが可能である。よって、不要な光の漏れを低減してユーザーの不快感をより軽減することができる。
【図面の簡単な説明】
【００１２】
【図１】実施形態に係る複写機を示す斜視図。
【図２】同複写機を示す概略構成図。
【図３】同複写機における画像形成部の内部構成の一部を拡大して示す部分構成図。
【図４】同画像形成部における４つの作像ユニットからなるタンデム部の一部を示す部分拡大図。
【図５】同複写機における画像読取ユニットを示す斜視図。
【図６】同画像読取ユニットのスキャナの移動照射部に搭載されたＬＥＤアレイを示す斜視図。
【図７】同スキャナの第２コンタクトガラス上に載置される原稿の位置と、原稿のサイズと、ＬＥＤアレイのＬＥＤ素子の位置との関係を説明するための平面模式図。
【図８】同スキャナにおける電気回路の一部を示すブロック図。
【図９】第２コンタクトガラスの一端側の角部を拡大して示す拡大平面図。
【図１０】ＬＥＤ素子の第１点灯パターンを説明するための拡大平面図。
【図１１】読取画像の主走査方向における位置と明度との関係を示すグラフ。
【図１２】実施例に係る複写機の読取制御部によって実施される載置態様特定処理における処理フローを示すフローチャート。
【図１３】ＬＥＤ素子の第２点灯パターンを説明するための拡大平面図。
【図１４】ＬＥＤ素子の第３点灯パターンを説明するための拡大平面図。
【図１５】ＬＥＤ素子の第４点灯パターンを説明するための拡大平面図。
【図１６】具体例に係る複写機の読取制御部によって実施される載置態様特定処理における処理フローを示すフローチャート。
【図１７】ＬＥＤ素子の第５点灯パターンを説明するための拡大平面図。
【図１８】特許文献１の原稿読取装置における原稿の載置態様を説明するための平面模式図。
【発明を実施するための形態】
【００１３】
以下、本発明を、電子写真方式の複写機（以下、単に複写機という）に適用した実施形態について説明する。
まず、実施形態に係る複写機の基本的な構成について説明する。図１は、実施形態に係る複写機を示す斜視図である。この複写機は、画像形成装置としての画像形成部１と、シート供給装置４０と、画像読取ユニット５０とを備えている。画像読取装置としての画像読取ユニット５０は、画像形成部１の上に固定された原稿読取装置としてのスキャナ１５０と、これに支持されるシート搬送装置としての原稿自動搬送装置（以下、ＡＤＦという）５１とを有している。
【００１４】
図２は、実施形態に係る複写機を示す概略構成図である。同図において、画像形成部１のシート供給装置４０は、ペーパーバンク４１内に多段に配設された２つの給紙カセット４２、給紙カセットから記録シートを送り出す送出ローラ４３、送り出された記録シートを１枚ずつに分離する分離ローラ４５等を有している。また、画像形成部１の搬送路としての給紙路３７に対して、シート部材としての記録シートを搬送する複数の搬送ローラ対４６等も有している。
【００１５】
給紙カセット４２は、複数の記録シートを重ねたシート束の状態で内部に収容している。そして、一番上の記録シートに対して送出ローラ４３を押し当てている。送出ローラ４３が回転すると、シート束の一番上の記録シートが給紙カセット４２から送り出される。
【００１６】
給紙カセット４２の付近では、搬送ローラ対４６の第１搬送ローラと、これの側方（図２中右側方）に配設された第２搬送ローラとが互いに当接して搬送ニップを形成している。また、第１搬送ローラの下方には、分離ローラ４５が配設されており、第１搬送ローラに対して下方から当接して分離搬送ニップを形成している。
【００１７】
送出ローラ４３の回転駆動によって給紙カセット４２から送り出された記録シートは、搬送ローラ対４６の第１搬送ローラと、これの下方に配設された分離ローラ４５との当接による分離搬送ニップに進入する。この分離搬送ニップでは、記録シートの上面に当接する第１搬送ローラが図中反時計回り方向に回転駆動しながら、記録シートに対して給紙カセット４２側から給送路４４側に向かう搬送力を付与する。これに対し、記録シートの下面に当接する分離ローラ４５が図中反時計回り方向に回転駆動しながら、記録シートに対して給送路４４側から給紙カセット４２側に向かう搬送力を付与して、記録シートを給紙カセット４２に戻そうとする。
【００１８】
給紙カセット４２から記録シートが１枚だけの状態で送り出された場合、分離搬送ニップにおいて、第１搬送ローラと分離ローラ４５とが記録シートに対して互いに逆方向に向かう搬送力を付与する。これにより、分離ローラ４５の駆動伝達系に所定の閾値を超える負荷がかかる。すると、その駆動伝達系内に配設されたトルクリミッターが作動して、図示しないＤＣブラシレスモータからの駆動力の分離ローラ４５に対する伝達を切る。すると、分離ローラ４５が第１搬送ローラによって搬送される記録シートに連れ回るようになって、記録シートが分離搬送ニップから給送路４４に向けて排出される。
【００１９】
一方、給紙カセット４２から記録シートが複数枚重なった状態で送り出された場合、分離搬送ニップにおいて、第１搬送ローラが一番上の記録シートに対して給紙カセット４２側から給送路４４側に向かう搬送力を付与する。そして、一番上の記録シートを分離搬送ニップから給送路４４側に向けて送り出す。これに対し、分離ローラが下側に位置している記録シートに対して給送路４４側から給紙カセット側に向かう搬送力を付与して、下側の記録シートを分離搬送ニップ内から給紙カセット４２側に逆戻りさせる。これにより、分離搬送ニップでは、一番上の記録シートが他の記録シートから分離されて１枚の状態で給送路４４に送り出される。
【００２０】
給送路４４に進入した記録シートは、搬送ローラ対４６の搬送ニップに進入して、鉛直方向下方側から上方側に向かう搬送力を付与される。これにより、給送路４４内では、記録シートが画像形成部１の給紙路３７に向けて搬送される。
【００２１】
画像形成手段としての画像形成部１は、光書込装置２、黒，イエロー，マゼンタ，シアン（Ｋ，Ｙ，Ｍ，Ｃ）のトナー像を形成する４つの作像ユニット３Ｋ，Ｙ，Ｍ，Ｃ、転写ユニット２４等を備えている。また、紙搬送ユニット２８、レジストローラ対３３、定着装置３４、スイッチバック装置３６、給紙路３７等も備えている。そして、光書込装置２内に配設された図示しないレーザーダイオードやＬＥＤ等の光源を駆動して、ドラム状の４つの感光体４Ｋ，Ｙ，Ｍ，Ｃに向けてレーザー光Ｌを照射する。この照射により、感光体４Ｋ，Ｙ，Ｍ，Ｃの表面には静電潜像が形成され、この潜像は所定の現像プロセスを経由してトナー像に現像される。
【００２２】
図３は、画像形成部１の内部構成の一部を拡大して示す部分構成図である。また、図４は、４つの作像ユニット３Ｋ，Ｙ，Ｍ，Ｃからなるタンデム部の一部を示す部分拡大図である。なお、４つの作像ユニット３Ｋ，Ｙ，Ｍ，Ｃは、それぞれ使用するトナーの色が異なる他はほぼ同様の構成になっているので、図４においては各符号に付すＫ，Ｙ，Ｍ，Ｃという添字を省略している。
【００２３】
作像ユニット３Ｋ，Ｙ，Ｍ，Ｃは、それぞれ、感光体とその周囲に配設される各種装置とを１つのユニットとして共通の支持体に支持するものであり、画像形成部１本体に対して着脱可能になっている。黒用の作像ユニット３Ｋを例にすると、これは、感光体４の周りに、帯電装置２３、現像装置６、ドラムクリーニング装置１５、除電ランプ２２等を有している。本複写機では、４つの作像ユニット３Ｋ，Ｙ，Ｍ，Ｃを、後述する中間転写ベルト２５に対してその無端移動方向に沿って並べるように対向配設した、いわゆるタンデム型の構成になっている。
【００２４】
感光体４としては、アルミニウム等の素管に、感光性を有する有機感光材の塗布による感光層を形成したドラム状のものを用いている。但し、無端ベルト状のものを用いても良い。
【００２５】
現像装置６は、図示しない磁性キャリアと非磁性トナーとを含有する二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００２６】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサー１０などを有している。
【００２７】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、ドクタブレード１４との対向位置からスリーブの回転方向に向けて順次並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００２８】
磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサー１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００２９】
ドラムクリーニング装置１５としては、弾性体からなるクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置２１に受け渡す。リサイクル搬送装置２１は、受け渡されたトナーを現像装置６に送ってリサイクルする。
【００３０】
除電ランプ２２は、光照射によって感光体４を除電する。除電された感光体４の表面は、帯電装置２３によって一様に帯電せしめられた後、光書込装置２による光書込処理がなされる。なお、帯電装置２３としては、帯電バイアスが印加される帯電ローラを感光体４に当接させながら回転させるものを用いている。感光体４に対して非接触で帯電処理を行うスコロトロンチャージャ等を用いてもよい。
【００３１】
図３において、４つの作像ユニット３Ｋ，Ｙ，Ｍ，Ｃの感光体４Ｋ，Ｙ，Ｍ，Ｃには、これまで説明してきたプロセスによってＫ，Ｙ，Ｍ，Ｃトナー像が形成される。
【００３２】
４つの作像ユニット３Ｋ，Ｙ，Ｍ，Ｃの下方には、転写ユニット２４が配設されている。ベルト駆動装置としての転写ユニット２４は、複数のローラによって張架した中間転写ベルト２５を、感光体４Ｋ，Ｙ，Ｍ，Ｃに当接させながら図３中時計回り方向に無端移動させる。これにより、感光体４Ｋ，Ｙ，Ｍ，Ｃと、無端状のベルト部材である中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，Ｙ，Ｍ，Ｃによって中間転写ベルト２５を感光体４Ｋ，Ｙ，Ｍ，Ｃに向けて押圧している。これら１次転写ローラ２６Ｋ，Ｙ，Ｍ，Ｃには、それぞれ図示しない電源によって１次転写バイアスが印加されている。これにより、Ｋ，Ｙ，Ｍ，Ｃ用の１次転写ニップには、感光体４Ｋ，Ｙ，Ｍ，Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下、４色トナー像という）が形成される。
【００３３】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００３４】
この２次転写ニップの図中右側方には、レジストローラ対３３が配設されている。また、レジストローラ対３３のレジストニップの入口付近には、図示しないレジストローラセンサーが配設されている。図示しないシート供給装置からレジストローラ対３３に向けて搬送されてくる記録部材としての記録シートは、その先端がレジストローラセンサーに検知された所定時間後記録シートの搬送が一時停止し、レジストローラ対３３のレジストニップに先端を突き当てる。
【００３５】
記録シートの先願がレジストニップに突き当たると、レジストローラ対３３は、記録シートを中間転写ベルト２５上の４色トナー像に同期させ得るタイミングでローラ回転駆動を再開して、記録シートを２次転写ニップに送り出す。２次転写ニップ内では、中間転写ベルト２５上の４色トナー像が２次転写電界やニップ圧の作用によって記録シートに一括２次転写され、記録シートの白色と相まってフルカラー画像となる。２次転写ニップを通過した記録シートは、中間転写ベルト２５から離間して、紙搬送ベルト２９のおもて面に保持されながら、その無端移動に伴って定着装置３４へと搬送される。
【００３６】
２次転写ニップを通過した中間転写ベルト２５の表面には、２次転写ニップで記録シートに転写されなかった転写残トナーが付着している。この転写残トナーは、中間転写ベルト２５に当接するベルトクリーニング装置によって掻き取り除去される。
【００３７】
定着装置３４に搬送された記録シートは、定着装置３４内における加圧や加熱によってフルカラー画像が定着させしめられた後、定着装置３４から排紙ローラ対３５に送られた後、機外へと排出される。
【００３８】
図２において、紙搬送ユニット２８および定着装置３４の下には、スイッチバック装置３６が配設されている。これにより、片面に対する画像定着処理を終えた記録シートが、切換爪で記録シートの進路を記録シート反転装置側に切り換えられ、そこで反転されて再び２次転写転写ニップに進入する。そして、もう片面にも画像の２次転写処理と定着処理とが施された後、排紙トレイ上に排紙される。
【００３９】
画像形成部１の上に固定されたスキャナ１５０は、移動照射部１５２を有している。移動照射部１５２は、原稿ＭＳに接触するようにスキャナ１５０のケーシング上壁に固定された図示しない第２コンタクトガラスの直下に配設されている。光源としてのＬＥＤアレイや、反射ミラーなどからなる光学系を具備する移動照射部１５２は、図１中左右方向である副走査方向に移動することができる。そして、図２中左側から右側に移動していく過程で、ＬＥＤアレイから発した光を第２コンタクトガラス上に載置された図示しない原稿で反射させた後、反射ミラーを経由させて、スキャナ本体に固定された画像センサーとしてのＣＣＤ１５３に受光させる。
【００４０】
なお、移動照射部１５２は、図示の位置よりも少し左側の位置に移動して、スキャナ１５０のケーシング上壁に固定された図示しない第１コンタクトガラスの直下に位置することも可能である。
【００４１】
スキャナ１５０の上に配設されたＡＤＦ５１は、本体カバー５２に、読取前の原稿ＭＳを載置するための原稿載置台５３を保持している。加えて、シート部材としての原稿ＭＳを搬送するための搬送ユニット５４、読取後の原稿ＭＳをスタックするための原稿スタック台５５なども保持している。そして、図５に示されるように、スキャナ１５０に固定された蝶番１５９によって上下方向に揺動可能に支持されている。そして、その揺動によって開閉扉のような動きをとり、開かれた状態でスキャナ１５０の上面の第１コンタクトガラス１５４や第２コンタクトガラス１５５を露出させる。
【００４２】
原稿束の片隅を綴じた本などの片綴じ原稿の場合には、原稿を１枚ずつ分離することができないため、ＡＤＦによる搬送を行うことができない。そこで、片綴じ原稿の場合には、ＡＤＦ５１を図５に示されるように開いた後、読み取らせたいページが見開かれた片綴じ原稿を下向きにして第２コンタクトガラス１５５上に載せた後、ＡＤＦを閉じる。そして、図示しないコピースタートボタンを押す。すると、スキャナ１５０の移動照射部（１５２）は、第１コンタクトガラス１５４の直下の位置をホームポジションにしており、読取待機中にはそのホームポジションで停止している。
【００４３】
コピースタートボタンが押されると、移動照射部（１５２）がホームポジションから第２コンタクトガラス１５５の直下に向けて移動し始める。そして、第２コンタクトガラス１５５の図５中における左側端部から右側端部に向けて移動していく。このとき、移動照射部（１５２）は、ＬＥＤアレイから発した光を原稿面で反射させて、反射光をＣＣＤ（１５３）に向けて導く。これにより、原稿の画像がＣＣＤによって原稿の先端側（副走査方向の上流側）から後端側に向けて順次読み取られていく。なお、ＡＤＦ５１は、原稿台たる第２コンタクトガラス１５５上に載置された原稿を第２コンタクトガラス１５５に向けて押さえ付ける原稿押さえ手段として機能している。
【００４４】
原稿が互いに独立した複数の原稿ＭＳを単に積み重ねた原稿束である場合には、その原稿ＭＳをＡＤＦ５１によって１枚ずつ自動搬送しながら、その画像をスキャナ１５０に順次読み取らせていくことができる。この場合、操作者は原稿束を原稿載置台５３上にセットした後、図示しないコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させながらスキャナ１５０の第１コンタクトガラス１５４の真上に通す。これにより、原稿ＭＳの第１面の画像が上述したホームポジションで停止したままの状態の移動照射部（１５２）によって走査されてＣＣＤ（１５３）に読み取られる。
【００４５】
なお、図５において、ＡＤＦ５１とスキャナ１５０とを具備する画像読取ユニット５０は、ＡＤＦ５１の開閉角度を検知するロータリーエンコーダー等からなる開閉センサー１５７を有している。以下、ＡＤＦ５１の開閉角度について、ＡＤＦ５１がスキャナ１５０の第２コンタクトガラス１５５に接触して第２コンタクトガラス１５５を完全に覆う状態の開閉角度を０［°］として説明する。また、ＡＤＦ５１がほぼ鉛直方向に延在する姿勢になるまで開かれた状態の開閉角度を９０［°］として説明する。
【００４６】
図６は、移動照射部（１５２）に搭載された光源としてのＬＥＤアレイ１５２ａを示す斜視図である。図示のように、ＬＥＤアレイ１５２ａは、分割光源たる複数のＬＥＤ素子１５２ａ’を具備している。これらＬＥＤ素子１５２ａ’は、第１コンタクトガラス（１５４）の表面に沿いつつ、移動照射部（１５２）の移動方向に直交する方向である主走査方向に沿って一直線状に並んでいる。スキャナ１５０は、原稿（ＭＳ）の画像を読み取るときには、ＬＥＤアレイ１５２ａの全てのＬＥＤ素子１５２ａ’を点灯させた状態で移動照射部（１５２）を原稿（ＭＳ）の先端側から後端側に向けて移動させる。
【００４７】
図７は、第２コンタクトガラス１５５上に載置される原稿の位置と、原稿のサイズと、ＬＥＤアレイ１５２ａの点灯ブロックとを説明するための平面模式図である。同図は、第２コンタクトガラス１５５を鉛直方向の上方から示しており、第２コンタクトガラス１５５の下に、移動照射部１５２、副走査サイズセンサー１６１などが配設されている。
【００４８】
同図において、実線の枠で囲まれたＡ５、Ｂ５、Ａ４、Ｂ４、Ａ３という文字は、それぞれ原稿の定型サイズを示している。また、実線の枠で囲まれた数字は、それぞれ原稿の寸法を示している。
【００４９】
第２コンタクトガラス１５５は、自らの平面の短手方向を原稿読取の際の原稿走査における主走査方向に沿わせつつ、長手方向を副走査方向に沿わせる姿勢で配設されている。そして、移動照射部１５２は、その長手方向を主走査方向に沿わせた姿勢で配設されており、図示しない移動機構によって副走査方向に移動することが可能になっている。つまり、移動照射部１５２は、第２コンタクトガラス１５５の長手方向に沿って往復移動することが可能である。第２コンタクトガラス１５５上に載置された原稿の画像を読み取る際には、移動照射部１５２は、副走査方向において、図中の左側から右側に向けて移動する。以下、原稿を読み取る際の副走査方向における図中の左側を読取時上流側という。また、図中の右側を読取時下流側という。
【００５０】
実施形態に係る複写機では、図中の太矢印の先端位置を原稿基準位置としている。この原稿基準位置は、第２コンタクトガラス１５５の２次元平面上にある４つのコーナーのうち、１つのコーナーと同じところに位置している。そして、このコーナーは、第２コンタクトガラス１５５の副走査方向における全域のうち、読取時の副走査方向の上流端に存在している。操作者は、どのようなサイズの原稿であっても、図示のように、その原稿の副走査方向における先端に存在する角を、第２コンタクトガラス１５５の原稿基準位置に位置させる状態で、原稿を第２コンタクトガラス１５５上に載置する。
【００５１】
図７において、副走査サイズセンサー１６１は、反射型フォトセンサーからなる。そして、第２コンタクトガラス１５５の真下に位置した状態で、第２コンタクトガラス１５５に向けて光を照射する。ＡＤＦ（５１）が開かれた後の状態では、副走査サイズセンサー１６１の発光素子から出射された光が、第２コンタクトガラス１５５を通じて鉛直方向の真上に向けて進んでいく。このため、副走査サイズセンサー１６１は、自らの発光素子から発した光を反射光として受光素子で検知することがない。一方、第２コンタクトガラス１５５の平面上における全域のうち、副走査サイズセンサー１６１の真上の領域に原稿が置かれると、副走査サイズセンサー１６１の発光素子から出射された光が原稿面で反射して反射光となる。そして、この反射光が副走査サイズセンサー１６１の受光素子に受光される。このように、副走査サイズセンサー１６１は、自らの真上に原稿が存在している場合には、自らの受光素子によって所定の閾値を超える量の光を受光する（原稿を検知する）。これに対し、自らの真上に原稿が存在していない場合には、受光素子による受光量が閾値を下回る（原稿を検知しない）。
【００５２】
原稿基準を基準にして第２コンタクトガラス１５５上に載置される原稿は、そのサイズと姿勢との組み合わせに応じて、次に説明する２つの状態の何れかの状態になる。即ち、第１の状態は、原稿の副走査方向における読取時下流側の端部を、副走査サイズセンサー１６１の真上に位置させる状態である。第２の状態は、原稿が副走査方向における読取時下流側の端部を、副走査サイズセンサー１６１の真上に位置させない状態である。この状態では、副走査サイズセンサー１６１が原稿を検知しない。
【００５３】
原稿サイズ検知位置ＤＰに位置している移動照射部１５２は、原稿が第２コンタクトガラス１５５上に載置されると、その原稿の副走査方向における読取時上流側の端部に対向する。つまり、原稿サイズ検知位置ＤＰは、移動照射部１５２に対し、第２コンタクトガラス１５５上に載置された原稿の読取時上流側の端部を対向させる位置になっている。
【００５４】
図８は、実施形態に係る複写機のスキャナ（１５０）における電気回路の一部を示すブロック図である。同図において、制御手段としての読取制御部１７０は、図示しないＣＰＵ（Central Processing Unit）、ＲＡＭ（Random Access Memory）、ＲＯＭ（Read Only Memory）などからなる。読取制御部１７０には、開閉センサー１５７、副走査サイズセンサー１６１、ＬＥＤ駆動回路１７２、モーター駆動回路１７３、ホームポジションセンサー１７５などが接続されている。同図に示される開閉センサー１５７、ＬＥＤアレイ１５２ａ、ＣＣＤ１５３の役割については、既に述べた通りであるので説明を省略する。
【００５５】
ホームポジションセンサー１７５は、透過型フォトセンサー等からなり、移動照射部（１５２）についてホームポジションに位置しているか否かを検知して、その検知結果を読取制御部１７０に出力するものである。また、ＬＥＤ駆動回路１７２は、読取制御部１７０からの信号に基づいて、ＬＥＤアレイ１５２ａの複数のＬＥＤ素子における点灯の入切を後述するブロック毎に制御するものである。また、移動モーター１７４は、移動照射部（１５２）を副走査方向に移動させるためのものであって、ステッピングモーターからなっている。この移動モーター１７４に対する励磁はモーター駆動回路１７３によって制御されるが、駆動量や駆動方向などについては読取制御部１７０によって制御される。
【００５６】
読取待機時には、移動照射部１５２は上述したホームポジションに位置している。図において、このホームポジションは第２コンタクトガラス１５５よりも図中の左側の位置であり、図示されていない。通常は、図示しないＡＤＦ（５１）が完全に閉じられていて第２コンタクトガラス１５５を覆っている状態になっている。操作者は、第２コンタクトガラス１５５の上に原稿を載置するためには、ＡＤＦ（５１）を開く必要がある。操作者によってＡＤＦ（５１）が開かれ始めて、ＡＤＦ（５１）の開閉角度がそれまでの０［°］から上昇して３０［°］まで到達すると、スキャナ１５０に搭載された読取制御部（１７０）は、ＡＤＦ（５１）の開操作がなされ始めたことを認識する。そして、その認識に基づいて、移動照射部１５２をホームポジションから図中の原稿サイズ検知位置ＤＰまで移動させる。なお、本明細書では、移動照射部１５２の副走査方向における読取時上流側の端を、移動照射部１５２の副走査方向の位置基準として説明している。このため、原稿サイズ検知位置ＤＰに移動した移動照射部１５２は、その副走査方向における読取時上流側の端を図中の原稿サイズ検知位置ＤＰに位置させる。同図では、原稿サイズ検知位置ＤＰよりも下流側に位置している状態の移動照射部１５２を示している。
【００５７】
次に、実施形態に係る複写機の特徴的な構成について説明する。
図９は、第２コンタクトガラス１５５の一端側の角部を拡大して示す拡大平面図である。同図において、領域１は、第２コンタクトガラス１５５上に載置されるＡ５サイズ横姿勢やあ４サイズ縦姿勢の原稿の副走査方向における一端部（複写機前側の端部）の領域を示している。また、領域２は、第２コンタクトガラス１５５上に載置されるＢ５サイズ横姿勢やＢ４サイズ縦姿勢の原稿の副走査方向における一端部の領域を示している。また、領域３は、第２コンタクトガラス１５５上に載置されるＡ４サイズ横姿勢やＡ３サイズ縦姿勢の原稿の副走査方向における一端部の領域を示している。
【００５８】
移動照射部１５２のＬＥＤアレイ１５２ａにおける全てのＬＥＤ素子１５２ａ’のうち、一部のＬＥＤ素子１５２ａ’は、他のＬＥＤ素子１５２ａ’から独立して単独で電源の入切がなされるようになっている。具体的には、領域１に位置する３つのＬＥＤ素子１５２ａ’は、それぞれ１つずつ単独で電源の入切がなされるようになっている。また、領域２に位置する４つのＬＥＤ素子１５２ａ’や、領域３に位置する４つのＬＥＤ素子１５２ａ’も、それぞれ１つずつ単独で電源の入切がなされるようになっている。更には、複数のＬＥＤ素子１５２ａ’の中で、副走査方向の最も前側に位置するＬＥＤ素子１５２ａ’も単独で電源の入切がなされるようになっている。
【００５９】
領域１内において、領域１−３は、原稿境界位置に対して主走査方向で最も近くに位置しているＬＥＤ素子１５２ａ’が存在している領域である。また、領域１−２は、原稿境界位置に対して主走査方向で２番目に近くに位置しているＬＥＤ素子１５２ａ’が存在している領域である。また、領域１−１は、原稿境界位置に対して主走査方向で３番目に近くに位置しているＬＥＤ素子１５２ａ’が存在している領域である。
【００６０】
領域２内において、領域２−４は、原稿境界位置に対して主走査方向で最も近くに位置しているＬＥＤ素子１５２ａ’が存在している領域である。また、領域２−３は、原稿境界位置に対して主走査方向で２番目に近くに位置しているＬＥＤ素子１５２ａ’が存在している領域である。また、領域２−２は、原稿境界位置に対して主走査方向で３番目に近くに位置しているＬＥＤ素子１５２ａ’が存在している領域である。また、領域２−１は、原稿境界位置に対して主走査方向で４番目に近くに位置しているＬＥＤ素子１５２ａ’が存在している領域である。
【００６１】
領域３内において、領域３−４は、原稿境界位置に対して主走査方向で最も近くに位置しているＬＥＤ素子１５２ａ’が存在している領域である。また、領域３−３は、原稿境界位置に対して主走査方向で２番目に近くに位置しているＬＥＤ素子１５２ａ’が存在している領域である。また、領域３−２は、原稿境界位置に対して主走査方向で３番目に近くに位置しているＬＥＤ素子１５２ａ’が存在している領域である。また、領域３−１は、原稿境界位置に対して主走査方向で４番目に近くに位置しているＬＥＤ素子１５２ａ’が存在している領域である。
【００６２】
なお、領域４は、主走査方向においてＬＥＤアレイの中で最も前側に位置しているＬＥＤ素子１５２ａ’が存在している領域である。
【００６３】
操作者が第２コンタクトガラス１５５の上に原稿を載置した後、図示しないＡＤＦ（５１）を閉じ始めると、ＡＤＦ（５１）の開閉角度が９０［°］から低下し始める。そして、やがて開閉センサー（１５７）による開閉角度の検知結果が７０［°］まで低下する。読取制御部（１７０）は、開閉角度が７０［°］まで低下すると、ＡＤＦ（５１）の閉操作がなされ始めたと判断する。そして、その判断に基づいて、原稿の載置態様を特定するための載置態様特定処理を開始する。
【００６４】
載置態様特定処理を開始した読取制御部（１７０）は、図１０に示されるように、ＬＥＤアレイ１５２ａにおける全てのＬＥＤ素子１５２ａ’のうち、領域１−１、領域２−１、及び領域３−１に存在する３つのＬＥＤ素子１５２ａ’だけを点灯させる。この点灯条件でＣＣＤ（１５３）による画像の読み取りを行う。そして、得られた読取画像のうち、領域１−１に対応する画像箇所の明度、領域２−１に対応する画像箇所の明度、及び領域３−１に対応する画像箇所の明度に基づいて、それら領域における原稿の存否をそれぞれ判断する。
【００６５】
図１１は、載置態様特定処理において読み取られた画像の明度と主走査方向の位置との関係を示すグラフである。このグラフは、第２コンタクトガラス１５５上にＡ４サイズ横姿勢の原稿が載置された場合における明度と位置との関係を示している。図７に示されるように、Ａ４サイズ横姿勢の原稿が第２コンタクトガラス１５５上に載置された場合、領域１、領域２、及び領域３のそれぞれの真上に原稿が存在することになる。この場合、領域１−１にあるＬＥＤ素子１５２ａ’から真上に向けて発せられた光が原稿面で反射してＣＣＤ（１５３）に受光される。同様にして、領域２−１にあるＬＥＤ素子１５２ａ’や、領域３−１にあるＬＥＤ素子１５２ａ’からそれぞれ発せられた光も、原稿面で反射してＣＣＤ（１５３）に受光される。このため、図１１に示されるように、領域１−１、領域２−１、及び領域３−１において、読取画像箇所の明度が閾値を超えることになる。読取制御部（１７０）は、このように、点灯させたＬＥＤ素子１５２ａ’に対応する画像箇所の明度が閾値を超えたことに基づいて、点灯させたＬＥＤ素子１５２ａの存在する領域について原稿が存在していると判定する。
【００６６】
一方、点灯させたＬＥＤ素子１５２ａ’の領域に原稿が存在しない場合には、その領域の読取画像箇所の明度が閾値を超えなくなる。読取制御部（１７０）は、このように、点灯させたＬＥＤ素子１５２ａ’に対応する画像箇所の明度が閾値を超えないことに基づいて、点灯させたＬＥＤ素子１５２ａの存在する領域について原稿が存在しないと判定する。
【００６７】
読取制御部（１７０）は、各領域における原稿の存否の判定結果と、副走査サイズセンサー１６１による原稿の存否の検知結果と、次の表１で示されるデータテーブルとに基づいて、第２コンタクトガラス１５５上に載置された原稿の載置態様を特定する。なお、原稿の載置態様が特定されると、同時に原稿の主走査方向の長さが特定される。即ち、読取制御部は、原稿の載置態様を特定することで、主走査方向の長さを特定していることになる。
【表１】
2014179825.tif 000003
【００６８】
かかる構成においては、図１０に示されるように、定型サイズたるＡ５サイズ横姿勢の原稿の主走査方向における一端部である領域１における原稿の存否を判定するにあたり、領域１に存在する３つのＬＥＤ素子１５２ａ’のうち、１つしか点灯させない。より詳しくは、領域１−１にある１つのＬＥＤ素子１５２ａ’だけしか点灯させない。これにより、領域１−１にあるＬＥＤ素子１５２ａ’に加えて、他のＬＥＤ素子１５２ａ’を点灯させる場合に比べて、ＡＤＦ（５１）と第２コンタクトガラス１５５との間から同時に漏れてしまう光の量を低減する。よって、ユーザーの眩しさ感をより軽減することができる。
【００６９】
また、本複写機では、定型サイズたるＢ５サイズ横姿勢の原稿の主走査方向における一端部である領域２における原稿の存否を判定するにあたり、領域２に存在する６つのＬＥＤ素子１５２ａ’のうち、１つしか点灯させない。より詳しくは、領域２−１にある１つのＬＥＤ素子１５２ａ’だけしか点灯させない。これにより、領域２−１にあるＬＥＤ素子１５２ａ’に加えて、他のＬＥＤ素子１５２ａ’を点灯させる場合に比べて、ＡＤＦ（５１）と第２コンタクトガラス１５５との間から同時に漏れてしまう光の量を低減する。よって、ユーザーの眩しさ感をより軽減することができる。
【００７０】
また、本複写機では、定型サイズたるＡ４サイズ横姿勢の原稿の主走査方向における一端部である領域３における原稿の存否を判定するにあたり、領域３に存在する６つのＬＥＤ素子１５２ａ’のうち、１つしか点灯させない。より詳しくは、領域３−１にある１つのＬＥＤ素子１５２ａ’だけしか点灯させない。これにより、領域３−１にあるＬＥＤ素子１５２ａ’に加えて、他のＬＥＤ素子１５２ａ’を点灯させる場合に比べて、ＡＤＦ（５１）と第２コンタクトガラス１５５との間から同時に漏れてしまう光の量を低減する。よって、ユーザーの眩しさ感をより軽減することができる。
【００７１】
なお、各領域において、それぞれＬＥＤ素子１５２ａ’を１つだけしか点灯させない例について説明したが、領域内に配設されたＬＥＤ素子１５２ａ’の数よりも少ないという条件のもとで、複数個点灯させてもよい。例えば、２個ずつ点灯させてもよい。
【００７２】
また、本複写機においては、上述したように、領域１、領域２、及び領域３についてそれぞれ、１つのＬＥＤ素子１５２ａ’だけを点灯させる処理を同時に実施している。かかる構成では、領域１、領域２、及び領域３についてそれぞれ原稿の存否を判定するためのＬＥＤ素子１５２ａ’の点灯を同時に実施することで、別々に実施する場合に比べて、判定処理時間を短縮化することができる。
【００７３】
また、ＡＤＦ（５１）を閉じる速度はユーザーによって個人差があるため、ＡＤＦの角度ではなく、ＡＤＦが閉じられ始めてからの経過時間に基づいて載置態様特定処理を開始させるようにしてもよい。この場合、経過時間をユーザーの入力操作によって自由に設定できるようにしてもよい。
【００７４】
また、本複写機では、定型サイズとして、Ｂ５、Ａ５、Ｂ４、Ａ４、及びＡ３のサイズに対応するようになっているが、対応できる定型サイズの種類を更に多くしてもよい。この場合、基本ブロックとは別に点灯させるＬＥＤ素子１５２ａ’のブロック数を３つよりも増やすことで、より多くの種類の定型サイズでも区別することが可能になる。
【００７５】
次に、実施形態に係る複写機に、より特徴的な構成を付加した実施例について説明する。なお、以下に特筆しない限り、実施例に係る複写機の構成は、実施形態と同様である。
図１２は、実施例に係る複写機の読取制御部（１７０）によって実施される載置態様特定処理における処理フローを示すフローチャートである。読取制御部（１７０）は、長さ特定処理を開始すると、まず、全てのＬＥＤ素子１５２ａ’のうち、実施形態と同様に、領域１−１、領域２−１、及び領域３−１に存在する３つのＬＥＤ素子１５２ａ’だけを点灯させる（Ｓ１）。そして、ＣＣＤ（１５３）による画像の読み取り結果に基づいて、領域１−１、領域２−１、領域３−１についてそれぞれ原稿の存否を判定する（Ｓ２）。次に、図１３に示されるように、全てのＬＥＤ素子１５２ａ’のうち、領域１−２、領域２−２、及び領域３−２に存在する３つのＬＥＤ素子１５２ａ’だけを点灯させる（Ｓ３）。そして、図１２に示されるように、ＣＣＤ（１５３）による画像の読み取り結果に基づいて、領域１−２、領域２−２、領域３−２についてそれぞれ原稿の存否を判定する（Ｓ４）。その後、図１４に示されるように、全てのＬＥＤ素子１５２ａ’のうち、領域１−３、領域２−３、及び領域３−３に存在する３つのＬＥＤ素子１５２ａ’だけを点灯させる（Ｓ５）。そして、図１２に示されるように、ＣＣＤ（１５３）による画像の読み取り結果に基づいて、領域１−３、領域２−３、領域３−３についてそれぞれ原稿の存否を判定する（Ｓ６）。更に、図１５に示されるように、全てのＬＥＤ素子１５２ａ’のうち、領域２−４、及び領域３−４に存在する２つのＬＥＤ素子１５２ａ’だけを点灯させる（Ｓ７）。そして、図１２に示されるように、ＣＣＤ（１５３）による画像の読み取り結果に基づいて、領域２−４、領域３−４についてそれぞれ原稿の存否を判定する（Ｓ８）。
【００７６】
読取制御部（１７０）は、このようにしてＬＥＤ素子１５２ａ’の点灯、及び原稿の存否の判定を行ったら、次に、次のような判定処理を行う。即ち、領域１−１、領域１−２、及び領域１−３の３つの領域についての原稿の存否判定結果のうち、少なくとも何れか１つが「原稿あり」という結果になったか否かを判定する（Ｓ９）。そして、何れか１つでも「原稿あり」という結果になった場合には（Ｓ９でＹ）、領域１について原稿ありと判定する（Ｓ１０）一方で、全てにおいて「原稿なし」という結果になった場合には（Ｓ９でＮ）、領域１について原稿なしと判定する（Ｓ１１）。
【００７７】
このような判定を行うのは次に説明する理由による。即ち、領域１において、例えば領域１−１のＬＥＤ素子１５２ａ’の真上に原稿の副走査方向における先端部に形成された黒ベタトナー像が偶然に存在していたとする。すると、領域１−１の上には原稿が存在しているにもかかわらず、領域１−１に対応する画像箇所の明度が閾値を超えなくなって、領域１−１の真上に原稿が存在しないものと誤判定されてしまう。但し、例えば黒ベタトナー像が比較的小さなもので、領域１−１や領域１−２の上には存在するものの、領域１−３の上には存在しない場合には、領域１−３では原稿面で多くの反射光量が得られて原稿ありと判定される。よって、領域１について、領域１−１〜領域１−３の３つの領域でそれぞれ原稿の存否を判定することで、黒ベタトナー像の存在による誤判定の発生を抑えることができる。
【００７８】
領域１について原稿の存否を判定した読取制御部は、次に、領域２−１、領域２−２、領域２−３及び領域２−４の４つの領域についての原稿の存否判定結果のうち、少なくとも何れか１つが「原稿あり」という結果になったか否かを判定する（Ｓ１２）。そして、何れか１つでも「原稿あり」という結果になった場合には（Ｓ１２でＹ）、領域２について原稿ありと判定する（Ｓ１３）一方で、全てにおいて「原稿なし」という結果になった場合には（Ｓ１２でＮ）、領域２について原稿なしと判定する（Ｓ１４）。このような判定により、領域２についても、黒ベタトナー像の存在による誤判定の発生を抑えることができる。
【００７９】
領域２について原稿の存否を判定した読取制御部は、次に、領域３−１、領域３−２、領域３−３及び領域３−４の４つの領域についての原稿の存否判定結果のうち、少なくとも何れか１つが「原稿あり」という結果になったか否かを判定する（Ｓ１５）。そして、何れか１つでも「原稿あり」という結果になった場合には（Ｓ１５でＹ）、領域３について原稿ありと判定する（Ｓ１６）一方で、全てにおいて「原稿なし」という結果になった場合には（Ｓ１５でＮ）、領域３について原稿なしと判定する（Ｓ１７）。このような判定により、領域３についても、黒ベタトナー像の存在による誤判定の発生を抑えることができる。
【００８０】
その後、読取制御部は、各領域における原稿の存否の判定結果と、副走査サイズセンサー１６１による原稿の存否の検知結果と、上記表１で示されるデータテーブルとに基づいて、第２コンタクトガラス１５５上に載置された原稿の載置態様を特定する。
【００８１】
次に、実施例に係る複写機に、より特徴的な構成を付加した具体例について説明する。なお、以下に特筆しない限り、具体例に係る複写機の構成は、実施例と同様である。
図１６は、具体例に係る複写機の読取制御部（１７０）によって実施される載置態様特定処理における処理フローを示すフローチャートである。読取制御部（１７０）は、長さ特定処理を開始すると、まず、図１７に示されるように、移動照射部（１５２）を原稿サイズ検知位置ＤＰからホームポジションに向けて移動させ始める（Ｓ１）。ホームポジションは、上述したように、第１コンタクトガラスの直下の位置である。移動照射部（１５２）は、このホームポジションまで移動するのに先立って、図７に示される原稿読取開始位置ＳＰを通過する。この原稿読取開始位置ＳＰは、原稿のスキャン時に原稿の画像の読み取りを開始する位置であり、第２コンタクトガラス１５５上に載置された原稿の最先端部の画像を読み取る位置でもある。移動照射部（１５２）が原稿読取開始位置ＳＰよりもホームポジション寄りの位置まで移動すると、第２コンタクトガラス１５５上の原稿の存否を正しく検知することができなくなる。移動照射部（１５２）のホームポジションに向けての駆動を開始してから、移動照射部を原稿読取開始位置ＳＰまで移動させるまでには、ある程度の時間を要する。
【００８２】
読取制御部（１７０）は、移動照射部の移動を開始させると、次に、図１７に示されるように、全てのＬＥＤ素子１５２ａ’のうち、領域４に存在する１つのＬＥＤ素子１５２ａ’だけを点灯させる（図１６のＳ２）。この領域４は、第２コンタクトガラス１５５上での主走査方向の長さが最大になるＡ４サイズ横姿勢の原稿や、Ａ３サイズ縦姿勢の原稿（図７参照）よりも主走査方向の前側にずれた位置に存在している。このため、通常であれば、領域４において原稿ありと判定されることはない。
【００８３】
読取制御部は、領域４のＬＥＤ素子１５２ａ’を点灯させたら、次に、図１６に示されるように、画像の読み取り結果に基づいて、領域４の上における原稿の存否を判定する（Ｓ３）。この判定において、領域４に原稿が存在している場合（Ｓ４でＹ）には、ユーザーが原稿を誤った姿勢で載置した、ＡＤＦを極めて短時間で閉じたなどの不具合が発生している。このため、読取制御部は、エラーメッセージを表示部に表示させて処理を強制終了するためのエラー処理を実施する（Ｓ１２）。その後、移動照射部（１５２）をホームポジションまで移動させるのを待機してから（Ｓ１０でＹ）、移動照射部の駆動を停止させて、一連の処理フローを終了させる。
【００８４】
一方、領域４に原稿が存在していない場合（Ｓ４でＮ）には、点灯及び原稿存否判定処理を実施する（Ｓ５）。この点灯及び存否判定処理は、先に図１２に示した処理フローにおけるＳ１〜Ｓ１７と同様の処理であるので、説明を省略する。点灯及び原稿存否判定処理を終了したら、次に、移動照射部について原稿読取開始位置ＳＰまで移動したか否かや、ＡＤＦ（５１）の開閉角度について３０°未満になったか否かを判定する（Ｓ６、Ｓ７）。これらの判定は、原稿の存否を問題なく行えるか否かを見極めるために行われるものである。具体的には、駆動を開始した移動照射部を原稿読取開始位置ＳＰよりもホームポジション寄りに移動させてしまうと、原稿の存否を正しく判定することができなくなる。これは、第２コンタクトガラス１５５と第１コンタクトガラスとの間に存在する白色板が、ＬＥＤ素子１５２ａ’から発せられた光を反射してしまうからである。また、ＡＤＦ（５１）の開閉角度が３０°未満になると、原稿の存否を正しく判定することができなくなる。これは、ＡＤＦの裏面にある白色のプラテン板が、ＬＥＤ素子１５２ａ’から発せられた光を反射してしまうからである。
【００８５】
読取制御部は、移動照射部が原稿読取開始位置ＳＰに到達しておらず（Ｓ６でＮ）、且つ、開閉角度が３０°未満になっていない（Ｓ７でＮ）には、点灯及び原稿存否判定処理における原稿の存否の判定結果を更新する。具体的には、載置態様特定処理を開始してから、点灯及び原稿存否判定処理を１回だけしか実施していない場合には、各領域についての原稿存否の判定結果を新たにデータ記憶部に記憶する。また、点灯及び原稿存否判定処理の実施回数が２回目以降である場合には、各領域についての原稿存否の判定結果を次のように更新する。即ち、既に記憶している判定結果が「原稿なし」であるのに対し、直前に得られた判定結果が「原稿あり」である場合には、判定結果を「原稿あり」として更新する。また、それ以外の場合には、判定結果を更新せずに記憶しているデータのままにする。つまり、判定結果が「原稿なし」から「原稿あり」に変わった場合にのみ、判定結果を直前のものに更新する。
【００８６】
また、読取制御部は、移動照射部が原稿読取開始位置ＳＰに到達した場合や（Ｓ６でＹ）、且つ、開閉角度が３０°未満になった場合（Ｓ７でＹ）には、原稿の載置態様を特定する（Ｓ９）。具体的には、各領域における原稿の存否の判定結果と、副走査サイズセンサー１６１による原稿の存否の検知結果と、次の表１で示されるデータテーブルとに基づいて、第２コンタクトガラス１５５上に載置された原稿の載置態様を特定する。その後、移動照射部をホームポジションまで移動させるのを待機した後（Ｓ１０でＹ）、移動照射部の駆動を停止させて一連の処理フローを終了する。
【００８７】
かかる構成では、領域４について原稿の存否を判定することで、ユーザーが原稿を誤った姿勢で載置したことに起因する原稿の載置態様の判定精度悪化を抑えることができる。更には、ユーザーがＡＤＦを非常に速い速度で閉じたことに起因する原稿の載置態様の判定精度悪化も抑えることができる。また、移動照射部を移動させながら原稿の存否を判定することで、原稿に黒ベタ画像が形成されていることに起因する原稿存否の判定精度悪化を抑えることもできる。
【００８８】
以上に説明したものは一例であり、本発明は、次の態様毎に特有の効果を奏する。
［態様Ａ］
原稿を載置する原稿台（例えば第２コンタクトガラス１５５）と、前記原稿台の表面に沿った主走査方向に並ぶ複数の発光素子（例えばＬＥＤ素子１５２ａ’）を具備する光源（例えばＬＥＤアレイ１５２ａ）のそれぞれの発光素子から発した光を前記原稿台上の原稿に向けて照射して原稿面での反射光を得ながら、前記表面に沿いつつ主走査方向に直交する方向である副走査方向に移動する移動照射手段（例えば移動照射部１５２）と、前記移動照射手段からの反射光を受光して原稿の画像を読み取る画像センサー（例えばＣＣＤ１５３）と、複数の前記発光素子のうち、一部の発光素子だけを点灯させた状態で前記画像センサーによって画像を読み取った結果に基づいて、点灯させた発光素子の付近における原稿の存否を判定し、判定結果に基づいて、前記載置台上に置かれた原稿の主走査方向の長さを特定する長さ特定処理（例えば載置態様特定処理）を実施する制御手段（例えば読取制御部１７０）とを有する原稿読取装置において、前記長さ特定処理にて、前記光源における全ての前記発光素子のうち、前記原稿台に載置される定型サイズの原稿の主走査方向における一端部に対向する複数の発光素子における一部の発光素子だけを点灯させる処理を実施するように、前記制御手段を構成したことを特徴とするものである。
【００８９】
［態様Ｂ］
態様Ｂは、態様Ａにおいて、前記長さ特定処理にて、原稿の主走査方向における一端部に対向する複数の発光素子における一部の発光素子だけを点灯させる処理を、前記原稿台上における主走査方向の長さが互いに異なる複数種類の定型サイズの原稿についてそれぞれ同時に実施するように、前記制御手段を構成したことを特徴とするものである。かかる構成では、複数種類の定型サイズの原稿についてそれぞれ発光素子を別々に点灯させる場合に比べて、長さ特定処理の実施時間を短縮化することができる。
【００９０】
［態様Ｃ］
態様Ｃは、態様Ｂにおいて、前記長さ特定処理にて、原稿の主走査方向における一端部に対向する複数の発光素子における一部の発光素子だけを点灯させる処理を前記複数種類の定型サイズの原稿についてそれぞれ同時に実施した後、前記一端部に対向する複数の発光素子における他の一部の発光素子だけを点灯させる処理を前記複数種類の定型サイズの原稿について同時に実施するように、前記制御手段を構成したことを特徴とするものである。かかる構成では、原稿に黒ベタ画像が形成されていることによる原稿存否の判定精度の悪化を抑えることができる。
【００９１】
［態様Ｄ］
態様Ｄは、態様Ｂ又はＣにおいて、前記長さ特定処理にて、前記複数種類の定型サイズの原稿における何れにも対向しない発光素子だけを点灯させながら前記画像センサーによって画像を読み取った結果に基づいて、前記載置台上における原稿の姿勢の正否を判定する処理を実施するように、前記制御手段を構成したことを特徴とするものである。かかる構成では、ユーザーが原稿を誤った姿勢で載置したことに起因する原稿の長さの判定精度悪化を抑えることができる。更には、ユーザーが原稿を載置台に向けて押さえる原稿押さえ手段を非常に速い速度で閉じたことに起因する原稿の載置態様の判定精度悪化も抑えることができる。
【００９２】
［態様Ｅ］
態様Ｅは、原稿の画像を読み取る画像読取装置（例えばスキャナ１５０）と、前記画像読取装置による画像の読取結果に基づいて記録部材に画像を形成する画像形成手段（例えば画像形成部１）とを備える画像形成装置において、前記画像読取装置として、態様Ａ〜Ｄの何れかの原稿読取装置を用いたことを特徴とするものである。
【符号の説明】
【００９３】
１：画像形成部（画像形成手段）
５１：ＡＤＦ（原稿押さえ手段）
１５０：スキャナ（原稿読取装置）
１５２：移動照射部（移動走者手段）
１５２ａ：ＬＥＤアレイ（光源）
１５２ａ’：ＬＥＤ素子（分割光源）
１５３：ＣＣＤ（画像センサー）
１５５：第２コンタクトガラス（原稿台）
１７０：読取制御部（制御手段）
【先行技術文献】
【特許文献】
【００９４】
【特許文献１】特許第４１５７８３２号公報
【図１】
2014179825.tif 000004
【図２】
2014179825.tif 000005
【図３】
2014179825.tif 000006
【図４】
2014179825.tif 000007
【図５】
2014179825.tif 000008
【図６】
2014179825.tif 000009
【図７】
2014179825.tif 000010
【図８】
2014179825.tif 000011
【図９】
2014179825.tif 000012
【図１０】
2014179825.tif 000013
【図１１】
2014179825.tif 000014
【図１２】
2014179825.tif 000015
【図１３】
2014179825.tif 000016
【図１４】
2014179825.tif 000017
【図１５】
2014179825.tif 000018
【図１６】
2014179825.tif 000019
【図１７】
2014179825.tif 000020
【図１８】
2014179825.tif 000021